(57)【要約】      （修正有）【課題】注ぎ口を形成するため接合をうまく剥がし易く、紙資源の無駄が少なく、複雑な谷折り辺や山折り辺を必要としない紙パックを提供する。【解決手段】紙パック１の上端側面１３において、二等辺三角形をなす三角谷折り辺１５の左右上部に存在する直角三角形部２５は、接合状態で庇状に突出している。この庇状の部分２７を指でつまんで左右に拡げる。すると、接合部分１７の折返し部２１が、その裏側２３が接着されていないので、つまみ部２９として突出する。このつまみ部２９を指でつまんで引き出すと、容易に庇状の部分２７の接合部分１７が剥がれ、三角形の注ぎ口が出現する。このとき、拡げた２つの庇状の部分２７を、左右から指で挟むと、庇状の部分２７の接合部分１７は、折返し部２１によって腰が強くなっており、更に容易に、剥がれる。【選択図】図１
0003154616.tif 000002
【実用新案登録請求の範囲】
【請求項１】
全体が四角柱形状の紙パックであって、上端部の接合構成が、上端部の開口縁を形成する４つの縁辺と、この縁辺に平行に前記紙パックの側面周囲に形成される４つの周囲山折り辺と、前記各縁辺と各周囲山折り辺の間に形成される上端側面と、対向する一対の前記上端側面に各々形成され前記周囲山折り辺を底辺として二等辺三角形をなす２つの三角谷折り辺と、前記周囲山折り辺と三角谷折り辺により折られることで互いに接する前記縁辺に沿って形成される接合部分と、を有して構成される前記紙パックにおいて、前記接合部分の左右に形成された一対の切込み部と、この切込み部により折り返された折返し部と、を有することを特徴とする紙パック。
【請求項２】
前記折返し部は、外側に折り返され、裏側が接着されずに、つまみ部として突出することを特徴とする請求項１に記載の紙パック。 
【考案の詳細な説明】
【技術分野】
【０００１】
この考案は、牛乳パックやジュースなどの紙パックに関する。
【背景技術】
【０００２】
図５に示すように、牛乳パックやジュースのパックのように全体が四角柱形状の紙パック１０１は、上端部の接合を剥がすことで、注ぎ口１０３を形成する。
すなわち、上端部が接合された状態(図示せず)において、二等辺三角形の部分１０５をなす谷折り辺１０７の左右上部に存在する直角三角形部１０９は、庇状に突出している。この庇状の部分１１１を指でつまんで左右に拡げ、拡げた２つの庇状の部分１１１を、左右から指で挟むと、庇状の部分１１１の接合部分は、剥がれる。剥がれることで、二等辺三角形の部分１０５が手前に引き出され、谷折り辺１０７が、山折り辺となって三角形の注ぎ口１０３が出現する（図５）。  
しかし、接合の度合いが強いと、うまく剥がれず、注ぎ口１０３が壊れてしまう。
【０００３】
この問題に対応するために、下記特許文献１では、接合部分につまみを延長して形成する。このつまみを指でつまんで手前に引き出すと、容易に、接合部分が剥がれることを意図する。また、特許文献２では、二等辺三角形の部分を工夫して、複雑な谷折り辺や山折り辺を設け、延長部分なしで、つまみを形成する。
【先行技術文献】
【特許文献】
【０００４】
【特許文献１】実開昭63-52728
【特許文献２】実開平05-034121
【考案の概要】
【考案が解決しようとする課題】
【０００５】
しかしながら、特許文献１では、つまみを延長して形成するため、紙パックの型紙は、大きな原紙を必要とし、つまみを形成するために、つまみの周囲に、切り取って捨てる部分が多くなり、紙資源の無駄を生じる。
また、特許文献２では、紙資源の無駄は少ないものの、複雑な谷折り辺や山折り辺が必要となり、よって折たたみ工程が複雑になり、比較的に小さなつまみしか形成できない。
この考案は、以上の問題点を解決するために、注ぎ口を形成するため接合を剥がし易く、紙資源の無駄が少なく、複雑な谷折り辺や山折り辺を必要としない紙パックを提供することを目的とする。
【課題を解決するための手段】
【０００６】
以上の課題を解決するために、第一考案は、全体が四角柱形状の紙パックであって、上端部の接合構成が、上端部の開口縁を形成する４つの縁辺と、この縁辺に平行に前記紙パックの側面周囲に形成される４つの周囲山折り辺と、前記各縁辺と各周囲山折り辺の間に形成される上端側面と、対向する一対の前記上端側面に各々形成され前記周囲山折り辺を底辺として二等辺三角形をなす２つの三角谷折り辺と、前記周囲山折り辺と三角谷折り辺により折られることで互いに接する前記縁辺に沿って形成される接合部分と、を有して構成される前記紙パックにおいて、前記接合部分の左右に形成された一対の切込み部と、この切込み部により折り返された折返し部と、を有することを特徴とする紙パックである。
【０００７】
第二考案は、更に、前記折返し部は、外側に折り返され、裏側が接着されずに、つまみ部として突出することを特徴とするパックである。
【考案の効果】
【０００８】
第一、又は第二考案によれば、接合部分に折返し部を形成することで、左右から指で挟むことで接合を剥がす際に、接合部分が折返し部によって腰が強くなっており、容易に、剥がれる。接合部分の一部を折り返すだけであり、よって紙資源の無駄が少なく、また、複雑な谷折り辺や山折り辺を必要としない。
【０００９】
第二考案によれば、更に、接合部分の折返し部が、その裏側が接着されていないので、つまみ部として突出するため、このつまみ部を指でつまんで引き出すと、より容易に、接合部分が剥がれる。
【図面の簡単な説明】
【００１０】
【図１】この考案の一実施形態にかかる紙パックの作用を示す斜視図である。
【図２】（Ａ）は図１の紙パックの接合を剥がす前の状態を示す斜視図、（Ｂ）は接合を剥がす途中の状態を示す斜視図である。
【図３】図１の紙パックの展開図である。
【図４】この考案の他の実施形態にかかる紙パックの作用を示す斜視図である。
【図５】従来の紙パックの作用を示す斜視図である。
【考案を実施するための形態】
【００１１】
この考案の実施形態を、図１〜図３に示す。
この紙パック１は、牛乳パックやジュースのパックのように全体が四角柱形状である。上下端部が接合され密閉されて運搬などが行なわれる。
上端部３の接合構成は、注ぎ口５を形成するように構成される。すなわち、上端部３の開口縁７（図３参照）を形成する４つの縁辺９に平行に、紙パック１の側面周囲に４つの周囲山折り辺１１が形成される。これにより、各縁辺９と各周囲山折り辺１１の間に上端側面１３が形成される。
【００１２】
上端側面１３は４つ形成され、これらのうち対向する（図１，図２参照）一対の上端側面１３に、周囲山折り辺１１を底辺として二等辺三角形をなす２つの三角谷折り辺１５が、各々形成される。
このようにして形成される周囲山折り辺１１と三角谷折り辺１５により、紙パック１の上端部３は折られ、上端の開口縁７の縁辺９が互いに接する。紙パック周囲のこれら縁辺９に沿って上下一定幅で接合部分１７が形成される。
そして、三角谷折り辺１５が形成される上端側面１３において、接合部分１７の左右に一対の切込み部１９が形成される。この切込み部１９により、外側に折り返された折返し部２１は、その裏側２３が接着されない状態にされる。
更に、接合部分１７によって、縁辺９を互いに接合することで、上端部３は接合される（図２（Ａ））。
【００１３】
［注ぎ口の形成］
このようにして接合された上端部３の接合構成は、以下のように接合を剥がすことで、注ぎ口５を形成する。
すなわち図２（Ａ）に示すように、上端側面１３において、二等辺三角形をなす三角谷折り辺１５の左右上部に存在する直角三角形部２５（図１，図２（Ｂ），図３参照）は、接合状態で庇状に突出している。この庇状の部分２７を指でつまんで左右に拡げる（図２（Ｂ）の矢印Ｆ0）。すると、接合部分１７の折返し部２１が、その裏側２３が接着されていないので、つまみ部２９として突出する。このつまみ部２９を指３０でつまんで引き出す（図１中の矢印Ｆ１）と、容易に、庇状の部分２７の接合部分１７が剥がれる。よって、二等辺三角形の部分３１が引き出され、三角谷折り辺１５が逆に山折り辺となって、三角形の注ぎ口５が出現する。
このとき、従来と同様に、拡げた２つの庇状の部分２７を、左右から指で挟む（図１中の矢印Ｆ２）と、庇状の部分２７の接合部分１７は、折返し部２１によって腰が強くなっており、更に容易に、剥がれる。
【００１４】
［展開図］
図３の展開図に示すように、接合部分１７の一部を折り返すだけであり、紙資源の無駄が少ない。
すなわち、全体が四角柱形状を形成するために、４本の平行な側山折り辺３２が、展開図の縦方向に形成され、４つの側面３３と、一つの接合代３５が形成される。
上端部３の開口縁７を形成する縁辺９に平行に、横方向に連続する４つの周囲山折り辺１１が形成される。これにより、各縁辺９と各周囲山折り辺１１の間に上端側面１３が形成される。
一対の上端側面１３には、周囲山折り辺１１を底辺として二等辺三角形をなす２つの三角谷折り辺１５が、各々形成される。
上端部３の縁辺９に沿って上下一定幅で接合部分１７が形成される。これらの接合部分１７のうち、注ぎ口が形成される接合部分１７の左右に、一対の切込み部１９が形成され、これら切込み部１９により、外側に折り返され折返し部２１を形成するために、折り曲げ線が設けられる。折返し部２１の裏側２３は接着されない。
【００１５】
［実施形態の効果］
以上の実施形態によれば、接合部分１７に折返し部２１を形成することで、左右から指で挟んで（図１中の矢印Ｆ２）接合を剥がす際に、接合部分１７が折返し部２１によって腰が強くなっており、従来に比べ容易に、剥がれる。接合部分２１の一部を折り返すだけであり、よって、従来のようにつまみを延長して形成するため、残りの切り取って捨てるなどの無駄がなく、紙資源の無駄が少ない。また、複雑な谷折り辺や山折り辺を必要としない。
更に、接合部分１７の折返し部２１は、その裏側２３が接着されていないので、つまみ部２９として突出するため、このつまみ部２９を指でつまんで引き出す（図１中の矢印Ｆ１）と、より容易に、接合部分が剥がれる。
【００１６】
「他の実施形態」
以上の実施形態では、接合部分１７の折返し部２１は、その裏側２３が接着されていないので、つまみ部２９として突出するものであったが、他の実施形態では、図４に示すように、裏側２３が接着され、突出しないものでも良い。この接着によって、接合部分１７は、折返し部２１によってより腰が強くなっており、更に容易に、剥がれる。
【符号の説明】
【００１７】
１…紙パック、３…上端部、５…口、７…開口縁、９…縁辺、１１…周囲山折り辺、１３…上端側面、１５…三角谷折り辺、１７…接合部分、１９…切込み部、２１…折返し部、２３…裏側、２５…直角三角形部、２７…庇状の部分、２９…つまみ部、３１…二等辺三角形の部分、３３…側面、３５…接合代、１０１…紙パック、１０３…注ぎ口、１０５…二等辺三角形の部分、１０７…谷折り辺、１０９…直角三角形部、１１１…庇状の部分。
【図１】
0003154616.tif 000003
【図２】
0003154616.tif 000004
【図３】
0003154616.tif 000005
【図４】
0003154616.tif 000006
【図５】
0003154616.tif 000007